Podtech/llm-jp-corpus-v4-ja_patent huggingface dataset:
【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
ダイスとマンドレルの隙間から加熱ビレットを押出して継目無金属管を得る製造方法において、
前記ダイスとして、ベアリング長さが６〜１１ｍｍの範囲に設定されたダイスを用いることを特徴とする継目無金属管の製造方法。
【請求項２】
ダイスとマンドレルの隙間から加熱ビレットを押出して継目無金属管を得る製造方法において、
前記ダイスとして、ベアリング長さが６．５〜８ｍｍの範囲に設定されたダイスを用いることを特徴とする継目無金属管の製造方法。
【請求項３】
マンドレルガイド及びノーズを用いない請求項１または２に記載の継目無金属管の製造方法。
【請求項４】
請求項１〜３のいずれか１項に記載の製造方法により製造された継目無金属管。
【請求項５】
前記金属管の押出先端縁から１ｍの位置の押出先端部における偏肉量が０．４３ｍｍ以下である請求項４に記載の継目無金属管。
【請求項６】
コンテナと、前記コンテナの押出前面側に配置された穴あきダイスと、先端部が前記ダイスの穴に挿入配置されたマンドレルとを備えた継目無金属管の製造装置において、
前記ダイスのベアリング長さが６〜１１ｍｍの範囲であることを特徴とする継目無金属管の製造装置。
【請求項７】
コンテナと、前記コンテナの押出前面側に配置された穴あきダイスと、先端部が前記ダイスの穴に挿入配置されたマンドレルとを備えた継目無金属管の製造装置において、
前記ダイスのベアリング長さが６．５〜８ｍｍの範囲であることを特徴とする継目無金属管の製造装置。
【請求項８】
マンドレルガイド及びノーズを備えていないことを特徴とする請求項６または７に記載の継目無金属管の製造装置。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
客に販売する段階で、カスタマイズされた色化粧マスを作る方法であって、
プログラム可能デバイスが最終的な色を選択するステップ、
複数の色の複数の完全処方ペレットから、ペレットを組み合わせた際に該最終的な色が作られるように、プログラム可能デバイスがペレットの重量およびペレットの色に基づいてペレットの組み合わせを特定するステップ、
該組み合わせたペレットを容器内で加熱して、加熱材料を形成するステップ、
該加熱材料を、該容器から、開口部を少なくとも１つ有し、少なくとも１つの化粧品マスの形状を画定する鋳型に移すステップ、
該加熱材料が少なくとも１つの化粧品マスに固化するまで、鋳型を冷却するステップ、ならびに
該鋳型を解体して該少なくとも１つの化粧品マスをそこから取り出すステップ、
を含む上記方法。
【請求項２】
前記最終的な色をデータベースに格納するステップをさらに含む、請求項１に記載の方法。
【請求項３】
前記最終的な色を選択するステップが、標準カラーパレットから最終的な色を選択するステップを含む、請求項１に記載の方法。
【請求項４】
前記最終的な色を選択するステップが、
該標準カラーパレットから得た該最終的な色を、客の入力に基づいて改変するステップ、ならびに
該改変された最終的な色が最終的な色として選択されるまで、該改変ステップを繰り返すステップ
をさらに含む、請求項３に記載の方法。
【請求項５】
前記最終的な色を選択するステップが、
未知の色を読み取るステップ、ならびに
該未知の色を標準カラーパレットと比較して、最終的な色とマッチングする色を選択するステップ、
を含む、請求項１に記載の方法。
【請求項６】
前記最終的な色を選択するステップが、
前記マッチングする色および前記未知の色を、ディスプレイユニットに表示するステップ、
をさらに含む、請求項５に記載の方法。
【請求項７】
前記最終的な色を選択するステップが、
未知の色を読み取るステップ、
該未知の色を標準カラーパレットと比較して、マッチングする色を選択するステップ、
該マッチングする色および該未知の色を、ディスプレイユニットに表示するステップ、
客の入力に基づいて、該マッチングする色を改変するステップ、ならびに
該マッチングする色が最終的な色として選択されるまで、該表示ステップおよび該改変ステップを繰り返すステップ、
を含む、請求項１に記載の方法。
【請求項８】
前記最終的な色を選択するステップが、
客のデジタル画像を受け取るステップ、
前記ディスプレイユニット上で、該客のデジタル画像上に該マッチングする色を表示するステップ、
客の入力に基づいて、該マッチングする色を改変するステップ、ならびに
該マッチングする色が最終的な色として選択されるまで、該表示ステップおよび該改変ステップを繰り返すステップ、
をさらに含む、請求項５に記載の方法。
【請求項９】
前記最終的な色を選択するステップが、
客のデジタル画像を受け取るステップ、ならびに
ディスプレイユニット上で、該客のデジタル画像上に該最終的な色を表示するステップ、
を含む、請求項１に記載の方法。
【請求項１０】
前記最終的な色を選択するステップが、
客のデジタル画像を受け取るステップ、
未知の色を読み取るステップ、
該未知の色を標準カラーパレットと比較して、マッチングする色を選択するステップ、
該客のデジタル画像上に該マッチングする色および該未知の色を表示するステップ、
客の入力に基づいて、該マッチングする色を改変するステップ、ならびに
該マッチングする色が最終的な色として選択されるまで、該表示ステップおよび該改変ステップを繰り返すステップ、
を含む、請求項１に記載の方法。
【請求項１１】
前記少なくとも１つの化粧マスを、分配ユニットに入れるステップをさらに含む、請求項１に記載の方法。
【請求項１２】
加熱の間、前記混合物を撹拌して、均質な加熱混合物の形成を促進するステップをさらに含む、請求項１に記載の方法。
【請求項１３】
販売段階でカスタマイズされた色化粧マス製品を客に提供するためのシステムであって、
少なくとも２つの異なる色を有する複数の完全処方ペレットと、
組み合わされたペレットが均質なマスに形成された際に化粧マスの最終的な色を提供するように、該複数のペレットの重量および色の組み合わせに基づいてペレットの組み合わせを特定するためのプログラム可能デバイスと、
該組み合わせたペレットを収容する容器と、
該容器内の該組み合わせたペレットを加熱して、均質な加熱混合物を形成するための加熱ユニットと、
化粧マスの形状を画定し、該均質な加熱混合物を収容するための鋳型キャビティを少なくとも１つ有する鋳型と、
該加熱混合物が固化して化粧マスを形成するまで、該鋳型の中の該加熱混合物を冷却するための冷却ユニットと、
を備える、上記システム。
【請求項１４】
前記化粧マスが口紅、ファンデーション、またはほお紅である、請求項１３に記載のシステム。
【請求項１５】
前記加熱ユニットがブロックヒータであり、前記冷却ユニットが冷却プレートであり、前記システムが前記容器内の前記組み合わされたペレットを撹拌して均質な加熱混合物を作るための攪拌具をさらに備える、請求項１３に記載のシステム。
【請求項１６】
前記鋳型が、前記少なくとも１つの化粧マスを取り出すために解体可能である、請求項１３に記載のシステム。
【請求項１７】
前記プログラム可能デバイスが、第１の入力ユニットを備え、標準カラーパレットを格納するようにプログラミングされており、該プログラム可能デバイスの該第１の入力ユニットが未知の色をサンプリングし、該プログラム可能デバイスが該未知の色を該標準カラーパレットと比較してマッチングする色を特定する、請求項１３に記載のシステム。
【請求項１８】
前記プログラム可能デバイスが、前記マッチングする色を最終的な色として選択するため、または該マッチングする色を改変して最終的な色を得るための客からの入力を受け取る第２の入力装置をさらに備える、請求項１７に記載のシステム。
【請求項１９】
前記プログラム可能デバイスに入力するためのデジタル画像を生成するデジタルカメラをさらに備えるシステムであって、該プログラム可能デバイスは、該デジタル画像を受け取り、該デジタル画像を操作し、該デジタル画像を前記最終的な色と組み合わせて表示するようにプログラミングされている、請求項１３に記載のシステム。
【請求項２０】
前記複数のペレットが、金属酸化物、二酸化チタン、FD&C有機顔料、D&C有機顔料、天然顔料、および真珠光沢顔料からなる群より選択される着色料を少なくとも１つ含む、請求項１３に記載のシステム。
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
連続した切れ刃を有する切削部材を工作物に接触させると共に前記切削部材と前記工作物とを相対移動させ、かつ、前記切削部材を動力により前記切れ刃の連続方向に回転または揺動させる
ことを特徴とする切削加工方法。
【請求項２】
前記切削部材を、前記切削部材と前記工作物との相対移動速度に対して独立した速度で回転または揺動させる
ことを特徴とする請求項１記載の切削加工方法。
【請求項３】
前記工作物を回転または平面移動させ、前記切削部材を、前記工作物の回転方向または平面移動方向に対して略垂直な平面内で回転または揺動させる
ことを特徴とする請求項１または２記載の切削加工方法。
【請求項４】
前記切削部材の前記切れ刃近傍に、切削油剤を収容するための凹部を設ける
ことを特徴とする請求項１ないし３のいずれか１項に記載の切削加工方法。
【請求項５】
工作物に対する相対移動により前記工作物を切削加工するための切削加工工具であって、
連続した切れ刃を有する切削部材と、
前記切削部材を支持し、前記切削部材の切れ刃を前記工作物に接触させる保持部と、
前記切削部材を動力により前記切れ刃の連続方向に回転または揺動させる駆動部と
を備えたことを特徴とする切削加工工具。
【請求項６】
前記切削部材を、前記切削部材と前記工作物との相対移動速度に対して独立した速度で回転または揺動させる
ことを特徴とする請求項５記載の切削加工工具。
【請求項７】
前記駆動部は、前記切削部材を、回転または平面移動する前記工作物の回転方向または平面移動方向に対して略垂直な平面内で回転または揺動させる
ことを特徴とする請求項５または６記載の切削加工工具。
【請求項８】
前記切削部材は、前記切れ刃近傍に、切削油剤を収容するための凹部を有する
ことを特徴とする請求項５ないし７のいずれか１項に記載の切削加工工具。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
液体流路が形成された流路ユニットを含むヘッド構成部材を有するヘッドユニットと、
前記液体流路に通じる複数のノズル開口を列設してなるノズル列を有し、前記ヘッドユニットの接合面に接合される導電性を有するノズルプレートと、
前記ノズルプレート及び前記ヘッドユニットが固定されるヘッドケースと、
前記ノズルプレート及び前記ヘッドユニットを外側から包囲するように前記ヘッドケースに取り付けられる導電性を有するヘッドカバーと、を備え、
前記ヘッドカバーは、ヘッドケースへの取付状態でノズルプレートを露出可能な開口部が開設されたフレーム部と、該フレーム部の内周縁から内側に向けて突出した当接突起とを有し、
前記ノズルプレートを前記開口部から露出させると共に該ノズルプレートの外周縁に前記当接突起が当接する状態で、前記ヘッドカバーが前記ヘッドケースに取り付けられたことを特徴とする液体噴射ヘッド。
【請求項２】
前記フレーム部の内周縁における一側の当接突起の先端から他側の当接突起の先端までの寸法が、両当接突起に挟まれる方向のノズルプレートの寸法よりも短く設定されたことを特徴とする請求項１に記載の液体噴射ヘッド。
【請求項３】
前記フレーム部における前記当接突起の近傍に、該当接突起の外側への移動を許容する貫通孔が形成されたことを特徴とする請求項２に記載の液体噴射ヘッド。
【請求項４】
前記当接突起は、前記フレーム部の内周縁において、前記ノズル列よりも該ノズル列方向の外側に配置されたことを特徴とする請求項１から請求項３の何れか一項に記載の液体噴射ヘッド。
【請求項５】
前記当接突起を通じて、前記ノズルプレートとヘッドカバーとが導通することを特徴とする請求項１から請求項４の何れか一項に記載の液体噴射ヘッド。
【請求項６】
前記当接突起は、前記ノズルプレートの外周縁の絶縁物を剥離することを特徴とする請求項５に記載の液体噴射ヘッド。
【手続補正２】
【補正対象書類名】明細書
【補正対象項目名】００１０
【補正方法】変更
【補正の内容】
【００１０】
上記目的を達成するため、本発明の液体噴射ヘッドは、液体流路が形成された流路ユニットを含むヘッド構成部材を有するヘッドユニットと、
前記液体流路に通じる複数のノズル開口を列設してなるノズル列を有し、前記ヘッドユニットの接合面に接合される導電性を有するノズルプレートと、
前記ノズルプレート及び前記ヘッドユニットが固定されるヘッドケースと、
前記ノズルプレート及び前記ヘッドユニットを外側から包囲するように前記ヘッドケースに取り付けられる導電性を有するヘッドカバーと、を備え、
前記ヘッドカバーは、ヘッドケースへの取付状態でノズルプレートを露出可能な開口部が開設されたフレーム部と、該フレーム部の内周縁から内側に向けて突出した当接突起とを有し、
前記ノズルプレートを前記開口部から露出させると共に該ノズルプレートの外周縁に前記当接突起が当接する状態で、前記ヘッドカバーが前記ヘッドケースに取り付けられたことを特徴とする。
【手続補正３】
【補正対象書類名】明細書
【補正対象項目名】００１１
【補正方法】変更
【補正の内容】
【００１１】
上記構成によれば、ヘッドカバーは、ノズルプレートを避けてヘッドケースに取り付けられるので、ノズルプレートの表面にヘッドカバーを重合させる場合と比較して、ノズルプレートとヘッドカバーとの間の高低差（段差）を低減することができる。これにより、ワイピング時におけるワイパーブレードがノズルプレートとヘッドカバーとの境界をスムーズに移動することができ、汚れの拭き残しや、ワイパーブレードが拭き取ったインクを弾き飛ばす等の不具合を防止することが可能となる。
【手続補正４】
【補正対象書類名】明細書
【補正対象項目名】００１６
【補正方法】変更
【補正の内容】
【００１６】
また、上記各構成において、前記当接突起は、前記フレーム部の内周縁における前記ノズル列よりも該ノズル列方向の外側に配置されることが望ましい。
さらに、前記当接突起を通じて、前記ノズルプレートとヘッドカバーとが導通するように構成することが望ましい。
そして、前記当接突起は、前記ノズルプレートの外周縁の絶縁物を剥離するように構成することが望ましい。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
インクを吐出するインク吐出口が形成されたインク吐出口形成面を有する印字ヘッドの前記インク吐出口形成面をキャップで塞いだ状態で該印字ヘッドの内部の圧力を高めて前記インク吐出口からインクを吐出させることによりインク吐出状態を初期の状態に回復させる回復機構において、
前記キャップは、
前記インク吐出口形成面に押し付けられることにより該インク吐出口形成面を塞ぐものであって、且つ、該キャップと前記インク吐出口形成面とに囲まれた空間の圧力が高まるに伴って変形することにより、前記インク吐出口形成面との密閉性を向上させるものであることを特徴とする回復機構。
【請求項２】
前記キャップは、
連続した一つの面若しくは線で前記インク吐出口形成面に接触して該インク吐出口形成面を塞ぐものであり、且つ、前記空間の圧力が高まって該キャップが変形したときは前記一つの面若しくは線とは異なる他の面若しくは線でも前記インク吐出口形成面に接触して該インク吐出口形成面を塞ぐものであることを特徴とする請求項１に記載の回復機構。
【請求項３】
前記キャップは、
前記空間の圧力が所定範囲内のときに前記インク吐出口形成面に接触する第１接触部と、
前記空間の圧力が前記所定範囲を超えたときに、前記インク吐出口形成面に接触する第２接触部とが形成されたものであることを特徴とする請求項２に記載の回復機構。
【請求項４】
請求項１から３までのうちのいずれか一項に記載の回復機構を備え、記録媒体にインクを吐出する印字ヘッドからのインク吐出状態を前記回復機構で初期の状態に回復させることを特徴とする画像形成装置。
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
遠心分離機と、該遠心分離機により遠心分離される複数の被遠心分離検体とを納めた検体容器と、該検体容器がセットされる容器ポートと、該容器ポートと該遠心分離機との間での搬送を行う搬送手段と、該検体容器の搬入搬出口を開閉するドアとを有し、外部装置から動作指示信号を受信し、また、外部装置との状態情報の授受を行う通信回線と制御機構を有する自動遠心分離装置であって、運転中断スイッチと一時中断中信号出力端子とを有し、該運転中断スイッチが押圧された場合には、遠心動作を停止して、該ドアを開いて待機することを特徴とする自動遠心分離装置。
【請求項２】
請求項１記載の自動遠心分離装置において、運転中断信号による遠心機の減速中、停止後のドア開中、待機中は一時中断中信号を発することを特徴とする自動遠心分離装置。
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
遊技領域を有する本体枠と、その本体枠の前面側に設けられ且つ前記遊技領域を臨む窓部を有する窓枠とを備えた遊技機であって、
前記窓枠前面における前記窓部より上方部分を覆う上辺部とその上辺部と一体的に設けられ且つ前記窓部より下方部分を覆う下辺部とを有すると共に前記本体枠に対して開閉自在に取り付けられた装飾枠を備えたことを特徴とする遊技機。
【請求項２】
前記装飾枠は、前記窓枠の窓部を囲むフレーム状に形成されたベース部材と、そのベース部材の前面に取り付けられる装飾枠本体とを備えたことを特徴とする請求項１に記載の遊技機。
【請求項３】
前記本体枠への取り付け部品が前記ベース部材に固定されたことを特徴とする請求項２に記載の遊技機。
【請求項４】
前記装飾枠に配設される各種部品が前記ベース部材に取り付けられたことを特徴とする請求項２又は３に記載の遊技機。
【請求項５】
前記ベース部材は、金属材料からなることを特徴とする請求項２乃至４のいずれかに記載の遊技機。
【請求項６】
前記装飾枠本体は、合成樹脂の成型加工により形成されたことを特徴とする請求項２乃至５のいずれかに記載の遊技機。
【請求項７】
前記装飾枠が前記本体枠に対して上下に開閉自在に取り付けられたことを特徴とする請求項１乃至６のいずれかに記載の遊技機。
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
一又は複数のパラメータの値に応じてゲームの進行及び／又は結果を決定するゲームシステムにおいて、前記パラメータ値の少なくとも一つのパラメータ値の大小に応じて、色と大きさがリンクして、連続的に又は段階的に変化可能なオブジェクトを画面に表示する手段と、前記オブジェクトに運動を行わせ、前記少なくとも一つのパラメータと異なるパラメータの値が大きくなるに従い、前記運動量を連続的に又は段階的に大きくする制御を行う手段と、を備えることを特徴とするゲームシステム。
【請求項２】
前記運動は、前記オブジェクトの自転運動、公転運動又は伸縮運動である、請求項１記載のゲームシステム。
【請求項３】
前記ゲームシステムは、複数の馬が参加可能であり、前記複数の馬が夫々保有する、前記少なくとも一つのパラメータを含む一又は複数パラメータの値に基づき競馬レースを行うレースフェーズを含む競馬ゲームシステムである、請求項１または請求項２に記載のゲームシステム。
【請求項４】
前記少なくとも一つのパラメータ値は、馬のフィジカルな能力及び／又は馬のメンタルな状態に関するパラメータ値である、請求項３記載のゲームシステム。
【請求項５】
前記ゲームシステムは、前記馬を調教する調教フェーズ及び／又は前記馬の世話を行う厩舎フェーズを含み、前記少なくともいずれか一つのフェーズにおいて、前記馬のフィジカルな能力及び／又は前記メンタルな状態に関するパラメータ値を変動させ得る、請求項４記載のゲームシステム。
【手続補正書】
【提出日】平成19年3月15日(2007.3.15)
【手続補正１】
【補正対象書類名】明細書
【補正対象項目名】００２４
【補正方法】変更
【補正の内容】
【００２４】
本発明の第３実施例である布製生理用ナプキン５０を図８に示す。本実施例の布製生理用ナプキン５０のナプキンホルダ５１は、外布５２に対して内布５３が小さいのが特徴である。内布５３は外布５２の略中央部に配置され、両端において外布５２に縫合されている。また、図８(b)に示すように、本実施例の布製生理用ナプキン５０では外布５２の羽根５２ａが外布５２とは別体となっており、外布５２の外側に固定された２本のストラップ５２ｂ、５２ｃにより外布５２に取り付けられる。外布用の羽根５２ａにはショーツのクロッチに取り付けるためのホックが設けられている。羽根５２ａの一方の端においてホックが２個設けられているのは、第１実施例および第２実施例と同様、ショーツのクロッチの幅に応じて適宜閉じ幅を変えられるようにするためである。中パッド５５の構造は、その形状を除き、ほぼ第１実施例のものと同様である。前記実施例と同様、中パッド５５の羽根５６をナプキンホルダ５１の外布５２と内布５３の間に差し込み、中パッド５５本体の両端をそれぞれストラップ５４ａ、５４ｂに差し込むことにより、中パッド５５をナプキンホルダ５１に固定する。
【手続補正２】
【補正対象書類名】明細書
【補正対象項目名】００２６
【補正方法】変更
【補正の内容】
【００２６】
３０…布製生理用ナプキン
３１…ナプキンホルダ
３２…外布
３２ａ、３２ｂ…羽根
３３…内布
３４ａ、３４ｂ…パッド保持用ストラップ
３５…中パッド
３６…中パッド本体
３６ａ、３６ｂ…パッド羽根保持用ストラップ
３７…パッド羽根
３８…追加パッド
４０…布製生理用ナプキン
４１…ナプキンホルダ
４２…中パッド
５０…布製生理用ナプキン
５１…ナプキンホルダ
５２…外布
５２ａ…羽根
５２ｂ、５２ｃ…羽根保持用ストラップ
５３…内布
５４ａ、５４ｂ…パッド保持用ストラップ
５５…中パッド
５６…羽根
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
床面上で複数のサテライトが環状または無端状に配置され、該サテライトに隣接して配置される表示装置において、
該表示装置の表示体には、発光素子が表示体の母線方向に沿って多数配設され、前記環状または無端状に配置されたサテライトの中心上方にて、上下方向軸を中心として回転駆動されることを特徴とする表示装置。
【請求項２】
前記表示装置の表示体の外側部が画く回転面の外側に隣接して、該回転面と相似の形状のカバーが固定して配置されたことを特徴とする請求項１記載の表示装置。
【請求項３】
前記表示体は、前記カバーと相似の形状の回転面に形成されたことを特徴とする請求項２記載の表示装置。
【請求項４】
前記表示体および前記カバーは、上方より吊下されたことを特徴とする請求項２または請求項３記載の表示装置。
【請求項５】
前記表示装置のカバーは、前記表示体の表示画面を見る所定位置の観察者の目から略等距離に位置するように形成されたことを特徴とする請求項２ないし請求項４いずれか記載の表示装置。
【請求項６】
前記表示装置のカバーの径は、上部で大きくそれより下方の部分では、下方に進むにつれて次第に小さく、前記カバーの径の変化の度合いは、上部で著しく大きく、下方に進むにつれて次第に小さな龍巻状に形成されたことを特徴とする請求項２ないし請求項４いずれか記載の表示装置。
【請求項７】
前記表示体の外側部には、回転軸を含む平面に沿って多数のＬＥＤが間隔を存して配置されたことを特徴とする請求項１ないし請求項６いずれか記載の表示装置。
【請求項８】
前記カバーは濃厚色に色付けされたことを特徴とする請求項７記載の表示装置。
【請求項９】
前記ＬＥＤの点滅を制御するＬＥＤ制御基盤は、前記回転表示部に配設されたことを特徴とする請求項７または請求項８記載の表示装置。
【請求項１０】
環状に配置されたサテライトの中心にゲーム機本体またはゲーム全体の進行状況を表示するゲーム進行状況表示装置が配置されたことを特徴とする請求項１ないし請求項９いずれか記載のゲーム機の表示装置。
【請求項１１】
ゲーム装置本体を囲む複数のサテライトが環状または無端状に配置され、該サテライトに隣接して配置される表示装置において、
ゲーム装置本体の両脇に設けた支持枠体間に水平に架設した支持体と、
ゲーム装置の中央にて該支持体に吊り下げられ、上下方向軸を中心として回転支持され、上端は回転軸から離れ、下端はゲーム装置本体の上部から離れ、上端から下端へ進むほど回転軸に近い母線を描く複数の光源を支持する光源支持体とからなる回転表示体と、
を有することを特徴とする表示装置。
【手続補正２】
【補正対象書類名】明細書
【補正対象項目名】００１６
【補正方法】変更
【補正の内容】
【００１６】
請求項１０記載の発明は、環状に配置されたサテライトの中心にゲーム機本体またはゲーム全体の進行状況を表示するゲーム進行状況表示装置が配置されたことを特徴とする請求項１ないし請求項９いずれか記載のゲーム機の表示装置である。
請求項１１記載の発明は、ゲーム装置本体を囲む複数のサテライトが環状または無端状に配置され、該サテライトに隣接して配置される表示装置において、ゲーム装置本体の両脇に設けた支持枠体間に水平に架設した支持体と、ゲーム装置の中央にて該支持体に吊り下げられ、上下方向軸を中心として回転支持され、上端は回転軸から離れ、下端はゲーム装置本体の上部から離れ、上端から下端へ進むほど回転軸に近い母線を描く複数の光源を支持する光源支持体とからなる回転表示体と、を有することを特徴とする表示装置である。
【手続補正３】
【補正対象書類名】図面
【補正対象項目名】図３
【補正方法】変更
【補正の内容】
【図３】
2006068172.tif 000001
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
ゲームの進行に伴なって所要枚数のメダルがメダル払い出し箱に払い出されるゲーム装置において、
箱の左右両側壁と奥側壁とが鉛直面に沿って形成され、箱の頂壁が欠除されたメダル払い出し箱であって、
手前側壁が、下方から上方に向い手前側へ傾斜するように形成され、底壁の少なくとも一部が、前記奥側壁の下縁から手前側に向い下方へ傾斜するように形成され、メダル払い出し装置から前記メダル払い出し箱へメダルを払い出すメダル払い出し口が、前記手前壁に対向して前記奥側壁に形成され、前記メダル払い出し箱の上部から下方へ垂下する仕切壁が、前記奥側壁から手前側へ所定の間隔を存し、かつ該仕切壁の下縁が、前記底壁に対し上方へ所定の間隔を存して配設されたことを特徴とするメダル払い出し箱を備えたゲーム装置。
【請求項２】
前記奥側壁と前記仕切壁とで挟まれたメダル払い出し空間に向って開口したメダル検出センサ装着口が、前記メダル払い出し口と略同一高さに位置して前記左右両側壁および奥側壁のいずれかに形成され、該メダル検出センサ装着口にメダル検出センサが装着されたことを特徴とする請求項１記載のメダル払い出し箱を備えたゲーム装置。
【請求項３】
前記メダル払い出し口に対向して、該メダル払い出し口から払い出されるメダルを左右いずれか一方または両方へ逸らせるメダル逸らせ手段が設けられたことを特徴とする請求項１記載または請求項２記載のメダル払い出し箱を備えたゲーム装置。
【請求項４】
前記メダル払い出し装置からのメダル払い出し中に前記メダル検出センサがメダルを検出したとき、前記メダル払い出し装置の動作を停止させるメダル払い出し停止制御手段が設けられたことを特徴とする請求項２記載のメダル払い出し箱を備えたゲーム装置。
【請求項５】
前記メダル検出センサがメダルを検出したとき、メダル検出を告知する告知手段が設けられたことを特徴とする請求項２記載のメダル払い出し箱を備えたゲーム装置。
【請求項６】
水平板の上面に前記メダル払い出し箱の上縁が面一となるように該メダル払い出し箱が設けられ、前記水平板の手前側縁が斜めに形成され、前記手前側壁の上縁が、前記水平板の手前側縁と略平行となるように、前記奥側壁に対する手前側壁の間隔が左右いずれか一方の側よりも他方の側が狭く形成されたことを特徴とする前記請求項１ないし請求項５いずれか記載のメダル払い出し箱を備えたゲーム装置。
【請求項７】
メダルを取り扱うゲーム装置に用いられ、プレーヤに対しメダルを払い出すメダル払い出し箱を備えたサテライトユニットにおいて、
該サテライトユニットに張設した水平板と、
該水平板上に配置した操作部と、
操作部より後方に付設した表示部と、
該操作部の側に設けたメダル投入受け具と、
該メダル投入受け具から手前寄りの前記水平板にメダル取り出し空間を有するメダル払い出し箱と、
を有し、
前記メダル払い出し箱では、
手前側壁が、下方から上方に向い手前側へ傾斜するように形成され、底壁の少なくとも一部が、前記奥側壁の下縁から手前側に向い下方へ傾斜するように形成され、メダル払い出し装置から前記メダル払い出し箱へメダルを払い出すメダル払い出し口が、前記手前壁に対向して前記奥側壁に形成され、前記メダル払い出し箱の上部から下方へ垂下する仕切壁が、前記奥側壁から手前側へ所定の間隔を存し、かつ該仕切壁の下縁が、前記底壁に対し上方へ所定の間隔を存して配設され、
前記奥側壁と前記仕切壁とで挟まれたメダル払い出し空間に向って開口したメダル検出センサ装着口が、前記メダル払い出し口と略同一高さに位置して前記左右両側壁および奥側壁のいずれかに形成され、該メダル検出センサ装着口にメダル検出センサが装着され、
前記メダル払い出し口に対向して、該メダル払い出し口から払い出されるメダルを左右いずれか一方または両方へ逸らせるメダル逸らせ手段が設けられ、
前記メダル払い出し装置からのメダル払い出し中に前記メダル検出センサがメダルを検出したとき、前記メダル払い出し装置の動作を停止させるメダル払い出し停止制御手段が設けられ、
前記手前側壁の上縁が、前記奥側壁に対する手前側壁の間隔が前記表示部よりも他方の側が狭く形成されたことを特徴とするメダル払い出し箱を備えたゲーム装置。
【手続補正２】
【補正対象書類名】明細書
【補正対象項目名】００１７
【補正方法】変更
【補正の内容】
【００１７】
請求項６記載の発明は、水平板の上面に前記メダル払い出し箱の上縁が面一となるように該メダル払い出し箱が設けられ、前記水平板の手前側縁が斜めに形成され、前記手前側壁の上縁が、前記水平板の手前側縁と略平行となるように、前記奥側壁に対する手前側壁の間隔が左右いずれか一方の側よりも他方の側が狭く形成されたことを特徴とする前記請求項１ないし請求項５いずれか記載のメダル払い出し箱を備えたゲーム装置である。
請求項７記載の発明は、メダルを取り扱うゲーム装置に用いられ、プレーヤに対しメダルを払い出すメダル払い出し箱を備えたサテライトユニットにおいて、該サテライトユニットに張設した水平板と、該水平板上に配置した操作部と、操作部より後方に付設した表示部と、該操作部の側に設けたメダル投入受け具と、該メダル投入受け具から手前寄りの前記水平板にメダル取り出し空間を有するメダル払い出し箱と、を有し、前記メダル払い出し箱では、手前側壁が、下方から上方に向い手前側へ傾斜するように形成され、底壁の少なくとも一部が、前記奥側壁の下縁から手前側に向い下方へ傾斜するように形成され、メダル払い出し装置から前記メダル払い出し箱へメダルを払い出すメダル払い出し口が、前記手前壁に対向して前記奥側壁に形成され、前記メダル払い出し箱の上部から下方へ垂下する仕切壁が、前記奥側壁から手前側へ所定の間隔を存し、かつ該仕切壁の下縁が、前記底壁に対し上方へ所定の間隔を存して配設され、前記奥側壁と前記仕切壁とで挟まれたメダル払い出し空間に向って開口したメダル検出センサ装着口が、前記メダル払い出し口と略同一高さに位置して前記左右両側壁および奥側壁のいずれかに形成され、該メダル検出センサ装着口にメダル検出センサが装着され、前記メダル払い出し口に対向して、該メダル払い出し口から払い出されるメダルを左右いずれか一方または両方へ逸らせるメダル逸らせ手段が設けられ、前記メダル払い出し装置からのメダル払い出し中に前記メダル検出センサがメダルを検出したとき、前記メダル払い出し装置の動作を停止させるメダル払い出し停止制御手段が設けられ、前記手前側壁の上縁が、前記奥側壁に対する手前側壁の間隔が前記表示部よりも他方の側が狭く形成されたことを特徴とするメダル払い出し箱を備えたゲーム装置である。
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
音声信号を受信して音声を出力する音声出力手段と、
前記音声出力手段に音声信号を供給する音声信号供給手段と、を備え、
前記音声信号供給手段は、さらに、
前記音声出力手段から出力される音声の音響特性に基づいて設定された補正情報を記憶する補正情報記憶手段と、
前記補正情報記憶手段から読み出した補正情報に応じて、前記音声出力手段に供給する音声信号を補正する音響補正処理手段と、を備える遊技機。
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
複数の識別情報を変動可能な変動表示部を有する変動表示手段と、
所定の役を当選役として決定する当選役決定手段と、
前記当選役決定手段の決定結果に基いて前記変動表示手段の変動を停止する停止制御手段と、
画像信号を受信して画像の表示を行う、前記変動表示手段とは別の演出画像表示手段と、
前記演出画像表示手段に画像信号を供給する画像制御手段と、
音声信号を受信して音声を出力する音声出力手段と、
前記音声出力手段に音声信号を供給する音声信号供給手段と、
前記画像制御手段が画像信号を供給するために必要な画像情報、および、前記音声信号供給手段が音声信号を供給するために必要な音声情報を記憶する兼用記憶装置と、
を備える遊技機。
【手続補正書】
【提出日】平成19年4月10日(2007.4.10)
【手続補正１】
【補正対象書類名】明細書
【補正対象項目名】０００４
【補正方法】変更
【補正の内容】
【０００４】
そのため、外箱は内箱の上昇収納時にその内箱の前面を覆う扉を有し、この扉は外箱に連結したヒンジを介して上端を支点として下端側を前後方向に回動し得る構成とし、さらに、扉と内箱とを複数のアームよりなるリンクによって連結し、扉が内箱の昇降に伴ってその上昇時には閉方向に、かつ下降時には開方向にそれぞれ回動できる構成とし、リンクは、内箱の上昇ストロークの途中位置で扉を最大開き角度位置で停止させる構成とした扉付き昇降キャビネットが提案されている（特許文献１）。
【手続補正２】
【補正対象書類名】明細書
【補正対象項目名】０００５
【補正方法】変更
【補正の内容】
【０００５】
しかし、特許文献１のものは、内箱への収納物の出し入れ動作に扉の開き時の扉下部が前方へ大きく張出しているので邪魔になる。特に上部にある収納物の出し入れ動作には大きく開かないと見にくいなどの使い勝手の悪さがあり、改良の余地がある。
【手続補正３】
【補正対象書類名】明細書
【補正対象項目名】０００６
【補正方法】変更
【補正の内容】
【０００６】
なお、特許文献２には、垂直状態を保ったまま開閉する扉に連動して、内箱を昇降させる昇降式収納装置が提案されているが、この装置は人手により扉を開閉し、内箱を昇降させるために重量のある収納物を収納するのに適さず、また、昇降が人手によるため装置を高所に設置するのに適さず、さらに、昇降棚の昇降に用いられる昇降ガイド機構が多数のリンク部材で構成されているため、モータによる内箱の昇降機構には適さない。
【特許文献１】特開２００２−９５５３４号公報
【特許文献２】特開２００４−１６７２０号公報
【手続補正４】
【補正対象書類名】明細書
【補正対象項目名】００３１
【補正方法】変更
【補正の内容】
【００３１】
従って、外箱２に軸支された第１の開閉用アーム６２ａの軸支位置と第２の開閉用アーム６２ｂの軸支位置の長さ（距離）Ｌ１と、扉５に軸支された第１の開閉用アーム６２ａの軸支位置と第２の開閉用アーム６２ｂの軸支位置の長さ（距離）Ｌ２と、第１の開閉用アーム６２ａの腕（の長さ）Ｌ３と、第２の開閉用アーム６２ｂの腕（の長さ）Ｌ４で、フォーバーリンケージが形成される。これにより、作動アーム６１ｂの回動に伴ってガイド溝６１ｂ５、ガイドピン６２ｂ１を介して第２の開閉用アーム６２ｂが回動され、フォーバーリンケージにより扉５が垂直状態あるいはわずかな傾斜状態を保ったまま所定角度だけ回動するようになっている。ガイドピン６２ｂ１が移動可能なガイド溝６２ａを設けることにより、扉５を外箱２の開口に押し付けることができる。なお、第１の開閉用アーム６２ａの腕Ｌ３と第２の開閉用アーム６２ｂの腕Ｌの長さを同一にすれば、扉は垂直状態を保ったまま回動し、Ｌ３＜Ｌ４にすれば、扉が垂直から右にわずかに傾いた状態になり、本実施形態では、Ｌ３＜Ｌ４として説明する。
【手続補正５】
【補正対象書類名】明細書
【補正対象項目名】００５０
【補正方法】変更
【補正の内容】
【００５０】
【図１】本発明の一実施形態に係る昇降式食器収納キャビネットの外箱の一部を切り欠いて示す斜視図。
【図２】本発明の一実施形態に係る昇降式食器収納キャビネットの内箱降下状態を示す正面図。
【図３】本発明の一実施形態に係る昇降式食器収納キャビネットの内箱降下状態を示す縦断面図。
【図４】本発明の一実施形態に係る昇降式食器収納キャビネットの内箱上昇状態を示す正面図。
【図５】本発明の一実施形態に係る昇降式食器収納キャビネットの内箱上昇状態を示す縦断面図。
【図６】本発明の一実施形態に係る昇降式食器収納キャビネットに用いられる扉開閉機構の平面図。
【図７】本発明の一実施形態に係る昇降式食器収納キャビネットの内箱の上昇過程を示す縦断面図。
【図８】本発明の一実施形態に係る昇降式食器収納キャビネットの内箱の降下過程を示す縦断面図。
【図９】本発明の一実施形態に係る昇降式食器収納キャビネットの扉閉塞状態を示す正面図。
【図１０】本発明の一実施形態に係る昇降式食器収納キャビネットの前板部分を示す正面図。
【図１１】本発明の一実施形態に係る昇降式食器収納キャビネットの前板取り付け部分を拡大して示す平面図。
【手続補正６】
【補正対象書類名】図面
【補正対象項目名】図３
【補正方法】変更
【補正の内容】
【図３】
2006068459.tif 000001
【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
検査対象空間内を観察する内視鏡装置であって、
少なくとも先端部に撮像素子を備える挿入部と、該挿入部の基端側に少なくともライトガイド及び画像信号伝送用の電気コードを含み一体に構成されたコネクタ部と、を有するスコープユニットと、
前記スコープユニットを巻回するドラム機構と、
前記ドラム機構に設けられ、前記コネクタ部と着脱可能に接続されるコネクタ端子を有したコネクタ受け部と、
を備えたことを特徴とする内視鏡装置。
【請求項２】
前記コネクタ受け部は、前記ドラム機構の前記スコープユニットが巻回される面に設けたことを特徴とする請求項１に記載の内視鏡装置。
【請求項３】
前記ドラム機構は、前記挿入部が撮像した画像を処理する内視鏡装置本体の側面に回転可能に設けられ、
前記内視鏡装置本体と前記ドラム機構を収納するケースを具備したことを特徴とする請求項１又は２のいずれか一つに記載の内視鏡装置。
【請求項４】
前記ドラム機構は、前記内視鏡装置本体の側面に設けられたリング状のガイドレールに該ドラム機構のドラム側面に設けられたベアリングを装着して、回転可能に構成されることを特徴とする請求項１乃至３のいずれか一つに記載の内視鏡装置。
【請求項５】
前記スコープユニットが、挿入部と中間連結部とユニバーサルケーブルとで構成されることを特徴とする請求項１乃至３のいずれか一つに記載の内視鏡装置。
【手続補正２】
【補正対象書類名】明細書
【補正対象項目名】００１１
【補正方法】変更
【補正の内容】
【００１１】
このコネクタ受け部２２は、配線（ハーネスケーブル）２３及び接続具例えば、スリップリング２４を介して内視鏡本体１の各構成部に電気的及び光学的に接続される。スリップリング２４を用いることにより、ドラム２１が回転しても電気的光学的に接続状態を維持することができる。尚、本実施形態では、内視鏡本体１にコネクタ受け部９を設けなくともよい。また、スコープユニット２の挿入部の先端部に発光ダイオード（ＬＥＤ）が設けられているものとしている。
【手続補正書】
【提出日】平成19年3月14日(2007.3.14)
【手続補正１】
【補正対象書類名】明細書
【補正対象項目名】特許請求の範囲
【補正方法】変更
【補正の内容】
【特許請求の範囲】
【請求項１】
スキャナフレームと、
フラットベッドスキャンのために該スキャナフレーム上に設けられた第一のスキャン窓と、
自動給紙スキャンのために該第一の窓の端部分に配置された第二のスキャン窓と、
該自動給紙スキャン及び該フラットベッドスキャンからスキャンされた情報を検知することを可能にする画像センサと、
フラットベッドスキャンがなされたときの画像センサと第一のスキャン窓の表面との間の距離と、画像センサと第二のスキャン窓の表面との間の距離とが等しくなるようにするために画像センサの垂直位置を変更する手段とからなる
自動給紙スキャン及びフラットベッドスキャンの両方が可能なスキャナ。
【請求項２】  垂直位置を変更する該手段は第一のスキャン窓の下で二段のレール上の異なる位置に画像センサを乗せる請求項１記載のスキャナ。
【請求項３】  該二段のレールは該フレームの上面の下に配置される請求項２記載のスキャナ。
【請求項４】  該二段のレールは該フレームの下面に配置される請求項２記載のスキャナ。
【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】
真空力を発生する真空機構に関連する、柔軟材料の可変サイズのシートをその上に固定するための真空制御保持装置において、
柔軟材料のシートをその第１の表面に順次受けるプレート機構であって、前記プレート機構は、その第２の表面に通じる複数の真空ポートを有し、前記第２の表面は前記真空力を受ける、プレート機構と、
ゲート機構であって、前記ゲート機構は前記真空ポートの各々と関連することによって、前記真空ポートが前記シートで覆われていない第１の状態にあるときには、前記ゲート機構は前記真空力の影響を受けて閉じ、前記真空ポートが前記シートで覆われている第２の状態にあるときには、前記ゲート機構は自動的に開くことによって、前記真空力が前記シートに加えられ前記シートを前記第１の表面に保持し、前記ゲート機構は、前記真空ポート内に少なくとも部分的に配置される複数のフラップを有し、前記フラップの各々は前記真空ポートを開く第２の位置に片寄せられ、前記フラップの各々はそれを通る漏洩穴を有することによって、前記真空ポートが覆われていないときに前記真空力が前記フラップを前記真空ポートを閉じる第１の位置に動かし、前記真空ポートが前記シートの領域に覆われているときに、前記真空力が、前記シートと前記フラップとの間に前記漏洩穴を介して真空通路を形成し、これによって前記フラップが片寄せ力のもとで前記第２の位置に移動し、前記ゲート手段は、前記プレート機構の下に取り付けられた柔軟な材料の板層を有することによって、前記柔軟な材料の板層から関連する真空ポート内へ前記フラップの各々が延びる、ゲート機構とを備えていることを特徴とする真空制御保持装置。
【請求項２】  
真空力を有するプリンタの紙止め装置であって、
表面積を有する紙移動装置を有するプラテンであって、前記表面積は、その上のサイズが違う紙と、前記真空力と連通する真空側表面と、前記表面積及び前記真空側表面を結合する各真空ポートとに適応するために十分である、プラテンと、
前記真空ポートの各々の中のゲートであって、個々の前記真空ポートを覆う前記表面上の紙のシートによって、覆われた前記真空ポートの各々の関連するゲートを横断して圧力差の変化が生じ、前記関連するゲートを前記第１の位置から前記第２の位置へ自動的に移動させ、このことによって、前記真空力が前記覆われた真空ポートの各々によってだけ加えられる、ゲートとを備え、
前記プラテンは、前記紙移動装置の表面の下の板を有し、前記板は、前記表面積とほぼ同じ周囲寸法を有し、前記板は複数のフラップを有し、前記フラップの各々は、それに隣接する前記真空ポートの各々の中へ延びておりその中で前記ゲートを形成し、前記フラップの各々は、前記フラップが前記真空ポートの閉じている位置にあるときに、前記ポートのそれぞれと共に前記フラップの上の真空ポート領域から空気を引き出す漏洩手段を有することを特徴とする紙止め装置。
【請求項３】  
前記フラップの各々は、前記真空力が加えられていないときに真空ポート開位置に片寄せられ、加えられた所定の真空力が前記フラップを真空ポート閉位置に移動させ、前記フラップが前記真空ポート閉位置にあるときに、前記漏洩手段は、前記フラップと前記フラップの上に配置される前記プラテン表面との間に配置される真空ポート内部領域から空気を引き出すことを特徴とする請求項２に記載の紙止め装置。
【請求項４】
前記プラテンの真空力側の表面の下に取り付けられた第１の板であって、前記第１の板は、前記領域にそれぞれある前記真空ポートの各々とほぼ整列して配置される複数の片持ち梁型ゲート弁としての前記フラップを有し、前記片持ち梁型ゲート弁の各々はそれぞれの前記真空ポートに隣接して設置され、前記片持ち梁型ゲート弁の各々は、真空力が前記真空ポートに加えられていないとき、整列したそれぞれの真空ポートを部分的に横断して広がるゲート開位置を備えている第１の板と、
前記第１の板に隣接して取付けられた第２の板であって、前記第２の板は、それぞれの前記片持ち梁型ゲート弁と整列している複数の凹み空洞を有する第２の板の上面を有し、前記凹み空洞の各々は、それぞれの前記真空ポートに近接して整列し且つ前記第２の板の上面から前記第２の板の下面を貫く穴を有し、このことによって、前記片持ち梁型ゲート弁が、整列したそれぞれの前記真空ポートを部分的に横断して広がる前記ゲート開位置にあるとき、前記真空ポートおよび前記穴は、前記第１の板および前記第２の板を貫く通路を形成し、前記真空力を所定の流量で前記第２の板の下面に加えることにより前記通路の各々が選択的に実質的に閉じ、前記片持ち梁型ゲート弁を、前記通路をほぼ閉じる、前記凹み空洞内のゲート閉位置に移動させるようにする第２の板とを備えていることを特徴とする請求項２に記載の紙止め装置。
【請求項５】
前記第２の板においては、前記凹み空洞にある前記穴の各々と、それに近接する前記真空ポートの各々とは、前記穴を閉じるのに必要な前記片持ち梁型ゲート弁の交差寸法より大きい距離だけ偏って整列していることをさらに特徴とする請求項４に記載の紙止め装置。
【請求項６】
前記第２の板が、それぞれの前記真空ポートが前記シートにより覆われたとき、前記片持ち梁型ゲート弁の上および下の双方に真空状態を確定するように、前記片持ち梁型ゲート弁の各々から空気を漏洩させる手段を更に備えていることを特徴とする請求項４に記載の紙止め装置。
【請求項７】
前記紙止め装置が曲線構造であることを更に特徴とする請求項２に記載の紙止め装置。
【請求項８】  
真空力を発生する真空機構に関連する、柔軟材料の可変サイズのシートをその上に固定するための真空制御保持装置において、
柔軟材料のシートをその第１の表面に順次受けるプレート機構であって、前記プレート機構は、その第２の表面に通じる複数の真空ポートを有し、前記第２の表面は前記真空力を受ける、プレート機構と、
ゲート機構であって、前記ゲート機構は前記真空ポートの各々と関連することによって、前記真空ポートが前記シートで覆われていない第１の状態にあるときには、前記ゲート機構は前記真空力の影響を受けて閉じ、前記真空ポートが前記シートで覆われている第２の状態にあるときには、前記ゲート機構は自動的に開くことによって、前記真空力が前記シートに加えられ前記シートを前記第１の表面に保持し、前記ゲート機構は、前記真空ポート内に少なくとも部分的に配置される複数のフラップを有し、前記フラップの各々は前記真空ポートを開く第２の位置に片寄せられ、前記フラップの各々はそれを通る漏洩穴を有することによって、前記真空ポートが覆われていないときに前記真空力が前記フラップを前記真空ポートを閉じる第１の位置に動かし、前記真空ポートが前記シートの領域に覆われているときに、前記真空力が、前記シートと前記フラップとの間に前記漏洩穴を介して真空通路を形成し、これによって前記フラップが片寄せ力のもとで前記第２の位置に移動し、前記フラップの各々は、関連する前記真空ポートの壁に一体に成形される、ゲート機構とを備えていることを特徴とする真空制御保持装置。
【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  近接センサの二次元格子配列を有し、該格子上のｘｙ座標を表すデジタル信号を生成するためのプラテンを設けるステップと、
前記近接センサの格子配列に等しいか小さい周囲寸法を有する印刷媒体のシートを前記プラテン上に載せ、前記印刷媒体のシートの下にあるセンサのみを動作させるステップと、
前記センサにより生成された前記格子上のｘｙ座標を示す前記デジタル信号から、前記シートの大きさ、形状、および位置を決定することによって前記プラテン上の前記印刷媒体シートのプロファイルを生成するステップと、
前記プロファイルに従って前記シート上の場所においてのみ印刷するステップと
を含んでなる印刷方法。
【請求項２】  多様なカットシート印刷媒体をその上に受ける表面と、
前記表面にわたって所定の格子パターンをなすように分布され、前記表面上に置かれた印刷媒体の連続装填シートの整列を示す信号を生成する複数の近接センサと、
前記所定の格子パターンに基づく前記表面の保存写像と、
前記表面上の現在のシートの整列を示す前記センサからの現在の信号を前記保存されたコンピュータ作成写像と比較し、該比較に基づいて現在のシートの写像を出力する手段と
を備えてなる、印刷機のための媒体検出装置。
【請求項３】  前記表面は該表面にわたって配列されている複数の真空ポートを有する真空プラテンであり、
前記各真空ポートは前記センサの各々の電気スイッチを形成する２ポジションゲート弁を有し、前記弁が第１の閉じた位置にあるとき、前記センサは関連する前記ポートに媒体が存在しないことを示す信号を与え、前記弁が第２の開いた位置にあるとき、前記センサは関連する前記ポートに媒体が存在することを示す信号を与える、請求項２に記載の装置。
【請求項４】  シート媒体をプリンタ内部の印刷領域に移動させるための輸送手段を有するインクジェットプリンタであって、
前記印刷領域を掃引して所定の印刷アルゴリズムに従って前記媒体上にインクを置く印刷手段と、
前記印刷手段に近接する前記印刷領域に設けられ、前記媒体シートを前記印刷手段に対して一定の関係に保持し、近接センサの二次元格子配列を有し、前記印刷媒体のシートの下にあるセンサのみが作動する前記格子上におけるｘｙ座標を示すデジタル信号を生成するプラテン手段と、
前記印刷手段および前記プラテン手段に関連しており、前記所定の印刷アルゴリズムと、前記格子配列の写像と、前記格子上の前記印刷媒体のシートの下にあるセンサのみが作動する前記格子上におけるｘｙ座標を示す前記デジタル信号に基づくプラテン写像上における媒体位置とを含んだプリンタ制御要素を有するコンピュータ化手段と
を備えてなるプリンタ。
【請求項５】  前記プラテン手段は、分布して配置された真空ポートを有する真空保持装置をさらに備えており、該ポートのそれぞれが関連するポートを開閉するためのゲート弁を含んでいる、請求項４に記載のインクジェットプリンタ。
【請求項６】  前記近接センサが、ゲート弁が開いているか閉じているかを示す信号を生成するデジタル信号手段をさらに備える、請求項５に記載のインクジェットプリンタ。
【請求項７】  所定の格子として配置された複数のゲート真空ポートを表面にわたって有する真空プラテン上のカットシート印刷媒体の二次元プロファイルを生成する方法であって、
前記ポートの各々に、関連するポートが開いているかまたは前記真空プラテン上にある現在のカットシート印刷媒体の領域により覆われているかを示す信号を生成するセンサを設けるステップと、
覆われたポートからの信号を現在覆われているポートを示す第１の写像に編成するステップと、
現在覆われているポートの前記写像を、前記プラテンの表面にわたり所定の格子として配置されている前記ゲート真空ポートのすべてを示す第２の写像と比較するステップと、
前記第１の写像と前記第２の写像との間の差を用いて、現在前記真空プラテン上にあるカットシート印刷媒体の前記二次元プロファイルを生成するステップと
を含んでなる方法。